(57)【特許請求の範囲】
【請求項１】
端子と、
前記端子の基端部を保持する端子保持部材と、
前記端子の先端側をガイドするガイド部材とを備え、
前記端子保持部材は、ベース部と、前記ベース部から立ち上がる支持壁部と、前記支持壁部に形成された孔部とを有し、前記孔部に端子押さえ板が挿入され、
前記端子は、基端部が前記ベース部に保持され、基端部から先端側が前記ベース部から立ち上がるように延び、
前記ガイド部材は、自身と前記支持壁部との間に前記端子が延在する内側ガイド壁部と、前記端子押さえ板の前記端子と反対側の端部を傾斜面で押圧する外側ガイド壁部とを有し、前記支持壁部の立ち上がる方向に沿って前記端子保持部材に対して相対移動可能であり、
前記端子押さえ板によって前記端子が前記内側ガイド壁部に向けて傾けられていて、
前記ガイド部材を前記端子保持部材に対して相対移動させて前記ガイド部材を基準位置から後退位置に引っ込めると、前記端子押さえ板が前記内側ガイド壁部から離れる方向に移動し、前記端子が前記内側ガイド壁部から離れる方向に傾動する、検査用コネクタ。
【請求項２】
前記ガイド部材を突出方向に付勢する付勢手段を有する請求項１に記載の検査用コネクタ。
【請求項３】
前記ガイド部材が前記端子保持部材の先端側に抜けることを防止する抜止め手段を有する請求項１又は２に記載の検査用コネクタ。
【請求項４】
対象コネクタの有する抜止め用の凸部に引っ掛からないようにするための溝部ないし切欠部が前記支持壁部に設けられている請求項１から３のいずれか一項に記載の検査用コネクタ。
【請求項５】
請求項１から４のいずれか一項に記載の検査用コネクタと、
前記検査用コネクタの前記端子保持部材が一方の面に固定された基板と、
前記基板の他方の面に固定された別のコネクタとを備え、
前記検査用コネクタと前記別のコネクタとが前記基板上の回路パターンによって相互に電気的に接続されている、検査用中継コネクタ装置。
【請求項６】
前記基板の前記他方の面に固定されたハンドル部を備え、前記ハンドル部は前記基板と垂直な方向から見て前記検査用コネクタと略同一位置に存在する、請求項５に記載の検査用中継コネクタ装置。
【発明の詳細な説明】
【技術分野】
【０００１】
本発明は、例えばテレビやパーソナルコンピュータに設けられているＨＤＭＩ端子やＵＳＢポート等に接続して検査するのに好適な検査用コネクタ及び検査用中継コネクタ装置に関する。
【背景技術】
【０００２】
ＨＤＭＩ（High-Definition Multimedia Interface）は、デジタル形式の音声信号と映像信号の双方を伝送可能なインターフェースであり、近年ではＨＤＭＩ端子を備えるテレビが増えてきている。ＵＳＢ（Universal Serial Bus）は、パーソナルコンピュータや周辺機器において、最も普及した汎用インターフェース規格となっている。
【０００３】
一般に、各種コネクタを備える電子機器を検査する際には、検査装置からコネクタ経由で検査用信号を電子機器に送り、正常に動作するかどうかを確認する。例えばＨＤＭＩ端子を備えるテレビの場合、ＨＤＭＩケーブルをテレビ側のＨＤＭＩ端子に差し込んで検査装置から映像信号及び音声信号を送信し、正常な映像出力及び音声出力が得られるかどうかを検査する。
【先行技術文献】
【特許文献】
【０００４】
【特許文献１】特開２００９−７０６４７号公報
【発明の概要】
【発明が解決しようとする課題】
【０００５】
ＨＤＭＩケーブルやＵＳＢケーブルその他の汎用ケーブルは、多数回の抜き差しは想定しておらず、検査用途としての耐久性を有さないのが通常である。例えば、抜き差しの度に検査対象のコネクタと検査用コネクタの端子同士がこすれ合うため、検査用コネクタの端子がめくれ上がるといった問題がある。この問題は、検査用コネクタの消耗によるコストアップやゴミ排出量の増大につながる。さらに、端子がめくれ上がった検査用コネクタを検査対象のコネクタに差し込むと、検査対象のコネクタを破損してしまうというリスクもある。
【０００６】
本発明はこうした状況を認識してなされたものであり、その目的は、既存のケーブルのコネクタと比較して検査用途としての耐久性を向上させた検査用コネクタ及び検査用中継コネクタ装置を提供することにある。
【課題を解決するための手段】
【００１２】
本発明のある態様は、検査用コネクタである。この検査用コネクタは、
端子と、
前記端子の基端部を保持する端子保持部材と、
前記端子の先端側をガイドするガイド部材とを備え、
前記端子保持部材は、ベース部と、前記ベース部から立ち上がる支持壁部と、前記支持壁部に形成された孔部とを有し、前記孔部に端子押さえ板が挿入され、
前記端子は、基端部が前記ベース部に保持され、基端部から先端側が前記ベース部から立ち上がるように延び、
前記ガイド部材は、自身と前記支持壁部との間に前記端子が延在する内側ガイド壁部と、前記端子押さえ板の前記端子と反対側の端部を傾斜面で押圧する外側ガイド壁部とを有し、前記支持壁部の立ち上がる方向に沿って前記端子保持部材に対して相対移動可能であり、
前記端子押さえ板によって前記端子が前記内側ガイド壁部に向けて傾けられていて、
前記ガイド部材を前記端子保持部材に対して相対移動させて前記ガイド部材を基準位置から後退位置に引っ込めると、前記端子押さえ板が前記内側ガイド壁部から離れる方向に移動し、前記端子が前記内側ガイド壁部から離れる方向に傾動する。
【００１３】
前記ガイド部材を突出方向に付勢する付勢手段を有してもよい。
前記ガイド部材が前記端子保持部材の先端側に抜けることを防止する抜止め手段を有してもよい。
【００１５】
対象コネクタの有する抜止め用の凸部に引っ掛からないようにするための溝部ないし切欠部が前記支持壁部に設けられていてもよい。
【００１６】
本発明のもう１つの態様は、検査用中継コネクタ装置であり、
前記検査用コネクタと、
前記検査用コネクタの前記端子保持部材が一方の面に固定された基板と、
前記基板の他方の面に固定された別のコネクタとを備え、
前記検査用コネクタと前記別のコネクタとが前記基板上の回路パターンによって相互に電気的に接続されている。
【００１７】
前記基板の前記他方の面に固定されたハンドル部を備え、前記ハンドル部は前記基板と垂直な方向から見て前記検査用コネクタと略同一位置に存在してもよい。
【００１８】
なお、以上の構成要素の任意の組合せ、本発明の表現を方法やシステムなどの間で変換したものもまた、本発明の態様として有効である。
【発明の効果】
【００１９】
本発明によれば、既存のケーブルのコネクタと異なり、接続の度に端子が接続先のコネクタの端子とこすれ合うことを防止できるため、既存のケーブルのコネクタと比較して検査用途としての耐久性を向上させた検査用コネクタ及び検査用中継コネクタ装置を実現可能である。
【図面の簡単な説明】
【００２０】
【図１】本発明の実施の形態１に係る中継コネクタ装置１０１の断面図。
【図２】中継コネクタ装置１０１の、一部を透視した平面図。
【図３】中継コネクタ装置１０１において、ガイド部材４０を図１の基準位置に対して後退させた状態の断面図。
【図４】メインコネクタ１１を対象コネクタ８０１に途中まで差し込んだ状態の断面図。
【図５】メインコネクタ１１の先端が対象コネクタ８０１の基端面８１４に接触した状態の断面図。
【図６】図５の状態からさらにメインコネクタ１１を対象コネクタ８０１に押し付けた状態の断面図。
【図７】本発明の実施の形態２に係る中継コネクタ装置１０２の断面図。
【図８】中継コネクタ装置１０２の、一部を透視した平面図。
【図９】メインコネクタ１２を図７に示す状態からさらに対象コネクタ８０２に押し付けた状態の断面図。
【図１０】本発明の実施の形態３に係る中継コネクタ装置１０３の断面図。
【図１１】メインコネクタ１３を対象コネクタ８０３に最後まで押し付けた状態の断面図。
【図１２】本発明の実施の形態４に係る中継コネクタ装置１０４の断面図。
【図１３】中継コネクタ装置１０４の平面図。
【図１４】メインコネクタ１４を対象コネクタ８０４に最後まで押し付けた状態の断面図。
【発明を実施するための形態】
【００２１】
以下、図面を参照しながら本発明の好適な実施の形態を詳述する。なお、各図面に示される同一または同等の構成要素、部材等には同一の符号を付し、適宜重複した説明は省略する。また、実施の形態は発明を限定するものではなく例示であり、実施の形態に記述されるすべての特徴やその組み合わせは必ずしも発明の本質的なものであるとは限らない。
【００２２】
図１は、本発明の実施の形態１に係る中継コネクタ装置１０１の断面図である。本図において、前後上下の各方向を矢印で示すように定義する。図２は、中継コネクタ装置１０１の、一部を透視した平面図である。なお、本図のＩ−Ｉ断面図が図１に相当する。本実施の中継コネクタ装置１０１は、テレビやパーソナルコンピュータに設けられる公知のＨＤＭＩ端子（ＨＤＭＩコネクタ）を検査するための検査用中継コネクタ装置である。
【００２３】
中継コネクタ装置１０１は、メインコネクタ１１と、プリント基板７０と、連絡用コネクタ８１と、ハンドル部９０とを備える。メインコネクタ１１はプリント基板７０の一方の面に固定され、連絡用コネクタ８１及びハンドル部９０はプリント基板７０の他方の面に固定される。ハンドル部９０は、上下方向においてメインコネクタ１１と略同一高さに存在する。プリント基板７０に対するメインコネクタ１１又はハンドル部９０の固定は、例えばネジ２５１〜２５３によって成される。ネジ止め箇所は任意の個数でよい。連絡用コネクタ８１は、検査対象となるコネクタ（以下「対象コネクタ」）と同じ種類のコネクタであり、プリント基板７０への固定は例えば半田付けなど一般的な方法で行なわれる。
【００２４】
中継コネクタ装置１０１を使用するときは、連絡用コネクタ８１を不図示の検査装置とケーブル（ここではＨＤＭＩケーブル）で接続した上で、ハンドル部９０を持ってメインコネクタ１１を対象コネクタに差し込み、必要な検査を実施する。プリント基板７０に設けられた配線パターンがメインコネクタ１１と連絡用コネクタ８１とを電気的に接続しており、メインコネクタ１１を対象コネクタに差し込むことで対象コネクタと検査装置との間の通信経路か確立する。
【００２５】
メインコネクタ１１は、例えば絶縁樹脂製の端子保持部材２０と、金属製の端子３０と、例えば絶縁樹脂製のガイド部材４０とを含む。端子保持部材２０は、例えば平板状のベース部２１と、支持壁部２２ａ,２２ｂとを有する。支持壁部２２ａ,２２ｂは、ベース部２１から前方に立ち上がる。なお、支持壁部２２ａ,２２ｂと、同じくベース部２１から前方に立ち上がる不図示の支持壁部とが、角筒状に４つの側面を成し、対象コネクタに挿入可能な寸法（好ましくは隙間無く入る寸法）となっている。支持壁部２２ｂに形成された溝部２４（切欠であってもよい）は、対象コネクタが抜止め用に有する後述の凸部の回避（抜止め無効化）を目的とする。支持壁部２２ａに形成された貫通孔２５は、ガイド部材４０が端子保持部材２０から抜け出るのを防止する金属板２７を通すために存在する。
【００２６】
端子３０は、基端部３１がフック状に曲がっていてベース部２１の裏面の端子引っかけ穴２１ｂに引っかけられ、かつベース部２１の端子通過穴２１ａを通ってベース部２１から前方に立ち上がるように延びる。基端部３１は、ベース部２１とプリント基板７０とに挟まれることで安定的に保持される。端子３０は、対象コネクタの電極に対応して複数配置される。なお、端子通過穴２１ａ及び端子引っかけ穴２１ｂは、１つの端子３０につき１つ設けられてもよいし、複数の端子３０につき共通に１つ設けられてもよい。
【００２７】
ガイド部材４０は、ガイド壁部４１ａ〜４１ｃと、ガイド壁部４１ｃと対向する不図示のガイド壁部とを有し、角筒状に４つの側面を成している。ガイド壁部４１ａは、支持壁部２２ａと端子３０との間に延在し、ガイド壁部４１ｂは、支持壁部２２ｂと端子３０との間に延在する。ガイド壁部４１ａ,４１ｂの内側の面（支持壁部２２ａ,２２ｂと反対側の面）には、前後方向に延びるガイド溝４２が端子３０と同数存在する。端子３０がガイド溝４２に延在する。ガイド溝４２は、底面の基端側に傾斜面４３を有する。傾斜面４３は、前方に向かって直線的に高さが高くなっている。図１において相互に対向する端子３０は、傾斜面４３に沿って前後方向に対して傾いた傾斜部を有してガイド溝４２内に入っている。なお、相互に対向する端子３０は、それぞれ先端が開く方向に自身の弾性による復元力を有しており、ガイド部材４０の上下のガイド壁部４１ａ、４１ｂの内側に弾接している。
【００２８】
ガイド部材４０は、支持壁部２２ａ,２２ｂの立ち上がる方向（前後方向）に沿って端子保持部材２０に対して相対移動可能である。具体的には、角筒状のガイド壁部が、端子保持部材２０の角筒状の前記支持壁部の内側にあって前記支持壁部に対して摺動可能である。前方への摺動範囲は抜止め手段としての金属板２７によって規制される。
【００２９】
金属板２７は、両端部が例えば垂直かつ相互に反対方向に折り曲げられている。一端側の折曲げ部２７ａは、ベース部２１の前面の溝部内に位置し、ネジ２５１によってベース部２１に固定される。ネジ２５１は、折曲げ部２７ａ、ベース部２１及びプリント基板７０の貫通孔を貫通し、ハンドル部９０のネジ穴に螺着される。金属板２７の他端側の折曲げ部２７１は、支持壁部２２ａの貫通孔２５を貫通し、ガイド壁部４１ａの凹部４１１内に延在する。このため、ガイド部材４０は、折曲げ部２７１と凹部４１１の側面とが当接するまでの範囲に前方への相対移動が制限される。
【００３０】
ガイド部材４０の後方には付勢手段としてのプッシャー５０及びスプリング９２がハンドル部９０の凹部９１に設けられる。プッシャー５０はスプリング９２によって前方に付勢されている。プッシャー５０は、基部５１とシャフト５２とを例えば一体に有する。基部５１は、プリント基板７０を挟んでガイド部材４０の反対側に位置する。基部５１の背面は、スプリング９２によって前方に押される。シャフト５２は、基部５１の中央部から前方に延び、プリント基板７０及び端子保持部材２０のベース部２１を貫通してガイド部材４０の背面に当接する。したがって、図１に示すように基部５１の前面がプリント基板７０に当接するまでシャフト５２はガイド部材４０を前方に押し出す。このときのガイド部材４０の相対位置を「基準位置」と定義する。また、ガイド部材４０が基準位置にあるときの端子３０の傾動状態を「基準状態」と定義する。基準状態では、各端子３０はガイド溝４２内に入っている。
【００３１】
図３は、中継コネクタ装置１０１において、ガイド部材４０を図１の基準位置に対して後退させた状態の断面図である。ガイド部材４０を基準位置に対して引っ込めると、端子３０の傾斜部がガイド壁部４１ａ,４１ｂに押されて端子３０は図１に示す基準状態から中心に向かって傾動し、相互に対向する端子３０の先端同士の間隔が狭くなる。
【００３２】
以下、中継コネクタ装置１０１のメインコネクタ１１を対象コネクタに差し込むときの動きを説明する。
【００３３】
図４は、メインコネクタ１１を対象コネクタ８０１に途中まで差し込んだ状態の断面図である。図５は、メインコネクタ１１の先端が対象コネクタ８０１の基端面８１４に接触した状態の断面図である。図６は、図５の状態からさらにメインコネクタ１１を対象コネクタ８０１に押し付けた状態の断面図である。
【００３４】
メインコネクタ１１を図４に示す状態から図５に示す状態にまで差し込む段階では、ガイド部材４０は基準位置から後退せず、また端子３０は基準状態に対して傾動しない。このため、端子３０は対象コネクタ８０１の基板８１１及び基板８１１上の電極に当接しない。一方、図５に示す状態からさらに端子保持部材２０先端が基端面８１４に当接するまでメインコネクタ１１を対象コネクタ８０１に押し付けると、図６に示すように、ガイド部材４０が対象コネクタ８０１の基端面８１４に押されて端子保持部材２０に対してスプリング９２の付勢力の抗して相対的に後退し、ガイド壁部４１ａ,４１ｂは端子３０の傾斜部を基板８１１側に押し上げ、端子３０が内側に向かって傾動して基板８１１上の電極と当接する（対向する端子３０の先端部同士で基板８１１を挟持する）。これにより、対象コネクタ８０１の検査が可能となる。
【００３５】
メインコネクタ１１を対象コネクタ８０１から抜くときは、図６、図５、図４の状態を順に辿る。このとき、端子３０が棒状ないし板状であって対向する端子３０の先端が開く方向に弾性を有するため、図６に示す状態から図５に示す状態に遷移する際にガイド部材４０がスプリング９２の付勢力で端子保持部材２０に対して相対的に前進するのに伴って、端子３０は自動的に基板８１１上の電極から離れて傾動状態が前記基準状態に戻る。なお、支持壁部２２ｂに形成された溝部２４によって対象コネクタ８０１の抜止め用突起８１２との係合を避けているため、メインコネクタ１１の挿抜に係る抵抗は小さい（小さな力で抜き差しできる）。
【００３６】
本実施の形態によれば、下記の効果を奏することができる。
【００３７】
(1) メインコネクタ１１を対象コネクタ８０１に差し込んでも図５に示す状態（ガイド部材４０が基準位置から相対的に後退する前）までは端子３０は対象コネクタ８０１の基板８１１上の電極と非接触であり、図６に示す状態まで差し込んでガイド部材４０が基準位置から相対的に後退して初めて端子３０が基板８１１上の電極と接触する構造であるため、既存のケーブルのコネクタを用いる場合（挿入当初から端子と電極とがこすれ合う場合）と比較して、端子３０と基板８１１上の電極とのこすれ合いを減らす又は無くすことができる。このため、メインコネクタ１１は既存のケーブルのコネクタと比較して検査用途としての耐久性が高く、コスト安でゴミも少ない。また、既存のケーブルのコネクタであると端子のめくれ上がりにより対象コネクタ８０１を破損するリスクがあるが、メインコネクタ１１ではそうしたリスクが低い。
【００３８】
(2) 既存のケーブルのコネクタを用いる場合、対象コネクタ８０１の有する抜止め用突起８１２との係合により挿抜に係る抵抗が大きく検査に不向きであるが、メインコネクタ１１では溝部２４により抜止め用突起８１２への引っ掛かりを避けているため、挿抜に係る抵抗が小さく検査の作業性が良く、また、高速の抜き差しが可能である。
【００３９】
図７は、本発明の実施の形態２に係る中継コネクタ装置１０２の断面図である。本図において、対象コネクタ８０２も併せて示している。本図に示す状態は、メインコネクタ１２を対象コネクタ８０２に差し込み、ガイド部材４０が端子保持部材２０に対して後退し始める直前の状態である。図８は、中継コネクタ装置１０２の、一部を透視した平面図である。
【００４０】
本実施の形態の対象コネクタ８０２及び連絡用コネクタ８２はＵＳＢポート（ＵＳＢコネクタ）である。このため、図１において上側に設けていた端子３０は無くしている。ガイド壁部４１ａは、対象コネクタ８０２の凸部８２４が入り込めるように図１と比較して後退している。ガイド壁部４１ａのネジ穴に抜止め用ネジ２７ｂが螺着され、端子保持部材２０の支持壁部２２ａの長孔２５ａによって抜止め用ネジ２７ｂの相対移動範囲、すなわちガイド部材４０の前後への相対移動範囲を規制する。なお、端子３０は、先端側が対象コネクタ８０２の電極８２８から離間する方向に自身の弾性により復元力を有しており、ガイド部材４０のガイド壁部４１ｂの上面に弾接している。
【００４１】
図９は、メインコネクタ１２を図７に示す状態からさらに対象コネクタ８０２に押し付けた状態の断面図である。このように押し付けることで、ガイド部材４０は対象コネクタ８０２の凸部８２４に押され、スプリング９２の付勢力の抗して端子保持部材２０に対して後退する。これにより、ガイド壁部４１ｂの傾斜面４３が端子３０の傾斜部３０ａを押し上げ、端子３０が内側に向かって傾動して対象コネクタ８０２の電極８２８と当接する。これにより、対象コネクタ８０２の検査が可能となる。なお、メインコネクタ１２を抜くときは、図９、図７の状態を順に辿る。すなわち、ガイド部材４０は、スプリング９２の付勢力によって端子保持部材２０に対して相対的に前進し、端子３０は、自身の弾性力により実施の形態１と同様に自動的に基準状態（図７の状態）に戻る。支持壁部２２ａには切欠２４ａが設けられ、支持壁部２２ｂには溝部２４ｂが設けられ、対象コネクタ８０２の抜止め用突起８１２を回避する（抜止めを無効にする）。本実施の形態のその他の点は、実施の形態１と同様である。本実施の形態も、実施の形態１と同様の効果を奏する。
【００４２】
図１０は、本発明の実施の形態３に係る中継コネクタ装置１０３の断面図である。本図において、対象コネクタ８０３も併せて示している。対象コネクタ８０３は、内側面８２９に電極を有する。このため、本実施の形態のメインコネクタ１３は、対象コネクタ８０３に差し込んだときに端子３０が外側（上下）に開くように構成される。
【００４３】
端子保持部材２０は、支持壁部２２ａ,２２ｂの間においてベース部２１から前方に立ち上がる支持壁部２２ｃを有する。ガイド部材４０は、支持壁部２２ｃを囲む角筒形状である。ガイド壁部４１ａ,４１ｂは、支持壁部２２ｃと端子３０との間に延在する。抜止め用ネジ２７ｃは、支持壁部２２ｃのネジ穴に螺着される。ガイド壁部４１ｂの長孔４１３によって、抜止め用ネジ２７ｃの相対移動範囲、すなわちガイド部材４０の前後への相対移動範囲を規制する。相互に対向する端子３０は、それぞれ先端同士の間隔が狭くなる向きに自身の弾性による復元力を有し、ガイド部材４０のガイド壁部４１ａ、４１ｂに弾接している。
【００４４】
図１１は、メインコネクタ１３を対象コネクタ８０３に最後まで押し付けた状態の断面図である。このように押し付けることで、ガイド部材４０が対象コネクタ８０３の基端面８１４に押されて端子保持部材２０に対してスプリング９２の付勢力に抗して相対的に後退し、ガイド壁部４１ａ,４１ｂは端子３０の傾斜部を押し上げ、端子３０が上下に向かって傾動して（対向する端子３０の先端が開いて）対象コネクタ８０３の内側面の電極と当接する。これにより、対象コネクタ８０３の検査が可能となる。なお、メインコネクタ１３を抜くときは、図１１、図１０の状態を順に辿る。すなわち、ガイド部材４０は、スプリング９２の付勢力によって端子保持部材２０に対して相対的に前進し、端子３０は、自身の弾性力により実施の形態１と同様に自動的に基準状態（図１０の状態）に戻る。なお、対象コネクタ８０３が抜止め用突起を備える場合は、実施の形態１と同様に支持壁部２２ａ,２２ｂの少なくともいずれかに溝部ないし切欠部を設けて前記抜止め用突起を避けてもよい。本実施の形態のその他の点は、実施の形態１と同様である。本実施の形態も、実施の形態１と同様の効果を奏する。
【００４５】
図１２は、本発明の実施の形態４に係る中継コネクタ装置１０４の断面図である。本図において、対象コネクタ８０４も併せて示している。対象コネクタ８０４及び連絡用コネクタ８４は、Ｄ端子（Ｄコネクタ）である。図１３は、中継コネクタ装置１０４の平面図である。
【００４６】
支持壁部２２ａ,２２ｂは、断面Ｌ字状に延びる延長部２２ｄ,２２ｅを有する。延長部２２ｄ,２２ｅに形成された端子３０の配列方向に延びる貫通孔に端子押さえ板２２５が挿入され、端子押さえ板２２５の一方の端部が端子３０に当接している。ガイド部材４０は、内側ガイド壁部４４１と、外側ガイド壁部４４２とを有する。内側ガイド壁部４４１は、自身と支持壁部２２ａ,２２ｂとの間に端子３０が延在する配置である。外側ガイド壁部４４２は、支持壁部２２ａ,２２ｂの開口（図１３に支持壁部２２ａの開口２２２ａが現れる）に延在して端子押さえ板２２５の端子３０と反対側の端部に傾斜面４４２ａを当接する。傾斜面４４２ａはそれぞれ前方に向かって内側から外側へと上下に傾斜している。内側ガイド壁部４４１と外側ガイド壁部４４２は、ここでは別部品である。外側ガイド壁部４４２同士を渡す基部４４３の略中央部に設けられた凹部４４３ａに内側ガイド壁部４４１の基端部が嵌合する。この嵌合状態で、連結ピン４１４が基部４４３と内側ガイド壁部４４１とを貫き連結する。なお、連結ピン４１４を設けずに接着することも可能である。対向する端子３０は、それぞれ先端同士の間隔が大きくなる方向に自身の弾性による復元力を有し、端子押さえ板２２５に弾接している。
【００４７】
図１４は、本実施の形態のメインコネクタ１４を対象コネクタ８０４に最後まで押し付けた状態の断面図である。図１２に示す状態では端子３０は端子押さえ板２２５によって内側ガイド壁部４４１に向けて傾けられてガイド溝４２内に入っているが、図１４に示すようにメインコネクタ１４を対象コネクタ８０４に押し付けてガイド部材４０をスプリング９２の付勢力に抗して端子保持部材２０に対して後退させると、外側ガイド壁部４４２の傾斜面４４２ａが後退するため、端子３０の弾性力により端子押さえ板２２５は内側ガイド壁部４４１から離れる方向に移動し、端子３０は外側（上下）に開いて対象コネクタ８０４の電極８４８と接触する。これにより対象コネクタ８０４の検査が可能となる。
【００４８】
メインコネクタ１４を抜くときは、図１４、図１２の状態を順に辿る。すなわち、ガイド部材４０は、スプリング９２の付勢力によって端子保持部材２０に対して相対的に前進し、端子３０は、端子押さえ板２２５により内側ガイド壁部４４１に向けて傾けられ、図１２に示す傾動状態に戻る。本実施の形態のその他の点は、実施の形態１と同様である。本実施の形態も、実施の形態１と同様の効果を奏する。
【００４９】
以上、実施の形態を例に本発明を説明したが、実施の形態の各構成要素や各処理プロセスには請求項に記載の範囲で種々の変形が可能であることは当業者に理解されるところである。以下、変形例について触れる。
【００５０】
各実施の形態において、メインコネクタに検査用ケーブルを直接接続してもよく、その場合はプリント基板及び連絡用コネクタは不要である。
【００５１】
実施の形態３，４において、対象コネクタの電極構造によっては端子は上下いずれか一方のみに設けてもよい。
【符号の説明】
【００５２】
１１〜１４  メインコネクタ
２０  端子保持部材
２１  ベース部
２２ａ,２２ｂ  支持壁部
２４  溝部
２７  金属板
３０  端子
４０  ガイド部材
４１ａ〜４１ｃ  ガイド壁部
７０  プリント基板
８１〜８４  連絡用コネクタ
９０  ハンドル部
１０１〜１０４  中継コネクタ装置
【図１】
0005977487.tif 000002
【図２】
0005977487.tif 000003
【図３】
0005977487.tif 000004
【図４】
0005977487.tif 000005
【図５】
0005977487.tif 000006
【図６】
0005977487.tif 000007
【図７】
0005977487.tif 000008
【図８】
0005977487.tif 000009
【図９】
0005977487.tif 000010
【図１０】
0005977487.tif 000011
【図１１】
0005977487.tif 000012
【図１２】
0005977487.tif 000013
【図１３】
0005977487.tif 000014
【図１４】
0005977487.tif 000015